(57)【要約】周波数をアップ／ダウンコンバートするミキサーシステムは、多数のコンポーネントを有する。バランスト４相変換の場合、パーツの一部は４つの繰り返しを示す（洞察）。３相ミキサーシステム（１０、４０）とすることにより、必要なコンポーネントの数を減らすことができる（基本的アイデア）。副出力における副信号グループ中の副信号は、１００°―１４０°の範囲内にある２つの後続副信号間にある位相差を有する。この位相差により副信号はすでに（実質的に）バランスされている。位相差が各々１１８°−１２２°の範囲内にある場合、副信号はよりよくバランスし、１２０°のとき、副信号は完全にバランスする。副入力（１、２、３）ごとのトランジスタグループ（１１−１３、１４−１６、１７−１９、４１−４３、４４−４６、４７−４９）は、副入力における副信号をスイッチおよび／または増幅する。アクティブミキサーシステム（１０）において、トランジスタグループ（１１−１３、１４−１６、１７−１９）は別のトランジスタ（２０−２２）によりスイッチされる。パッシブミキサーシステムにおいて、トランジスタグループ（４１−４９）は、ロー／ハイからハイ／ローインピーダンスにスイッチされた別の副入力（４、５、６）における副信号グループに応じる。
2006510264.tif 000002
【特許請求の範囲】
【請求項１】
入力信号を別の入力信号と混合することにより、１つの周波数を有する前記入力信号を他の周波数の出力信号に変換するミキサーシステムであって、
第１の副信号グループを受け取る少なくとも３つの副入力と、
第２の副信号グループを受け取る少なくとも３つの別の副入力と、
第３の副信号グループを生成する少なくとも３つの副出力と
を有し、前記第３の副信号グループは少なくとも、
第２の副信号と第１の副信号の間にある第１位相差と、
第３の副信号と前記第２の副信号の間にある第２位相差と
を有する３つの副信号を有し、
前記第１位相差と前記第２位相差は各々１００°−１４０°の範囲内にあることを特徴とするミキサーシステム。
【請求項２】
請求項１に記載のミキサーシステムであって、
各副信号グループについて、前記第１位相差と前記第２位相差は各々前記範囲内にあることを特徴とするミキサーシステム。
【請求項３】
請求項２に記載のミキサーシステムであって、
前記第１位相差と前記第２位相差は各々１１８°−１２２°の範囲内にあることを特徴とするミキサーシステム。
【請求項４】
請求項２に記載のミキサーシステムであって、
副入力ごとに１つのトランジスタグループを有することを特徴とするミキサーシステム。
【請求項５】
請求項４に記載のミキサーシステムであって、
各々が前記トランジスタグループの１つをスイッチングする、別の副入力ごとに別のトランジスタを有し、
前記グループごとのトランジスタの制御電極は前記副入力に結合され、
前記別のトランジスタの制御電極は各々前記別の副入力の１つに結合され、
前記別のトランジスタの第１主電極は相互に結合され、
前記別のトランジスタの第２主電極は前記トランジスタグループの１つのすべての第１主電極に結合され、
１つのトランジスタグループの各トランジスタの第２主電極は他のトランジスタグループの各々の１つのトランジスタの第２主電極と、副出力とに結合されたことを特徴とするミキサーシステム。
【請求項６】
請求項５に記載のミキサーシステムであって、
各トランジスタグループの前記トランジスタは少なくともバイポーラトランジスタであることを特徴とするミキサーシステム。
【請求項７】
請求項４に記載のミキサーシステムであって、
１つのトランジスタグループ各トランジスタの制御電極は他のトランジスタグループの各々の１つのトランジスタの制御電極と、別の副入力とに結合され、
各トランジスタグループの第１主電極は相互に結合され、および副入力と結合され、
１つのトランジスタグループの各トランジスタの第２主電極は他のトランジスタグループの各々の１つのトランジスタの第２主電極と、副出力とに結合されたことを特徴とするミキサーシステム。
【請求項８】
装置であって、
入力信号を別の入力信号と混合することにより、１つの周波数を有する前記入力信号を他の周波数の出力信号に変換するミキサーシステムであって、
第１の副信号グループを受け取る少なくとも３つの副入力と、
第２の副信号グループを受け取る少なくとも３つの別の副入力と、
第３の副信号グループを生成する少なくとも３つの副出力と
を有し、前記第３の副信号グループは少なくとも、
第２の副信号と第１の副信号の間にある第１位相差と、
第３の副信号と前記第２の副信号の間にある第２位相差と
を有する３つの副信号を有し、
前記第１位相差と前記第２位相差は各々１００°−１４０°の範囲内にあることを特徴とするミキサーシステムと、
前記第３の副信号グループを前記出力信号に結合するために前記副出力に結合された、少なくとも１つの多相フィルターと
を有することを特徴とする装置。
【請求項９】
請求項８に記載の装置であって、前記装置は
前記入力信号を前記第１の副信号グループに分割するために前記副入力に結合された少なくとも１つの別の多相フィルターを有し、
前記別の入力信号を前記第２の副信号グループに分割する、前記別の副信号に結合された、少なくとも１つのさらに別の多相フィルター、または前記第２の副信号グループを生成し前記別の入力信号を形成する少なくとも１つのリングオシレータのいずれかを有することを特徴とする装置。
【請求項１０】
入力信号を別の入力信号と混合することにより、１つの周波数を有する前記入力信号を他の周波数の出力信号に変換する方法であって、
第１の副信号グループを受け取るステップと、
第２の副信号グループを受け取るステップと、
第３の副信号グループを生成するステップと
を有し、前記第３の副信号グループは少なくとも、
第２の副信号と第１の副信号の間にある第１位相差と、
第３の副信号と前記第２の副信号の間にある第２位相差と
を有する３つの副信号を有し、
前記第１位相差と前記第２位相差は各々１００°−１４０°の範囲内にあることを特徴とする方法。
【発明の詳細な説明】
【発明の詳細な説明】
【０００１】
本発明は、入力信号を別の入力信号とミキシングすることにより、ある周波数の前記入力信号をそれと異なる周波数の出力信号に変換するミキサーシステムに関する。
【０００２】
また、本発明は、入力信号を別の入力信号とミキシングすることにより、ある周波数の前記入力信号をそれと異なる周波数の出力信号に変換するミキサーシステムを有する装置と、入力信号を別の入力信号とミキシングすることにより、ある周波数の前記入力信号をそれと異なる周波数の出力信号に変換する方法にも関する。
【０００３】
上記のミキサーシステムは、例えば、周波数をアップコンバージョンを実行し、この場合その装置は例えばトランスミッタの一部を形成する。あるいは、ダウンコンバージョンを実行し、この場合その装置は例えばレシーバの一部を形成する。上記の装置は、例えば携帯電話・モデム・トランシーバ等の通信装置であってもよく、例えばラジオ等のオーディオレシーバであってもよく、例えばテレビジョン等のオーディオ／ビデオレシーバであってもよい。
従来技術のミキサーシステムは、Ｆａｒｂｏｄ  Ｂｅｈｂａｈａｎｉ、Ｙｏｊｉ  Ｋｉｓｈｉｇａｍｉ、Ｊｏｈｎ  Ｌｅｅｔｅ、Ａｓａｄ  Ａ  Ａｂｉｄｉによる「大画像除去のためのＣＭＯＳミキサーおよび複数位相フィルター」、ＩＥＥＥ  Ｊｏｕｒｎａｌ  ｏｆ  Ｓｏｌｉｄ−Ｓｔａｔｅ  Ｃｉｒｃｕｉｔｓ、Ｖｏｌ．  ３６、Ｎｏ．６、２００１年６月により知られている。この文献の図１７には単一直交ミキサーを２つ使用した二重直交アップコンバージョン構成が開示されており、図２０には二重直交ダウンコンバージョンミキサーが開示されている。例えば、バランスされたＩおよびＱ信号の場合、実際には４つの信号Ｉ、Ｑ、−Ｉ、−Ｑがあり、その装置の大部分は４つの繰り返し（ｆｏｕｒｆｏｌｄ  ｒｅｐｅｔｉｔｉｏｎ）を示す。
【０００４】
既知のミキサーシステムは、なかんずく、装置のみでなくミキサーシステム自体に多数のコンポーネントを必要とし、そのため集積する時に大きなチップ面積を必要とする点で不利である。
【０００５】
本発明の１つの目的は、なかんずく、変換性能を低下させることなく少ないコンポーネントだけですむ、上記ミキサーシステムを提供することである。
【０００６】
本発明の別の目的は、なかんずく、上記装置を提供することであり、上記変換性能を低下させることなく少ないコンポーネントだけですむ方法を提供することである。
本発明によるミキサーシステムは、入力信号を別の入力信号と混合することにより、１つの周波数を有する前記入力信号を他の周波数の出力信号に変換するミキサーシステムであって、第１の副信号グループを受け取る少なくとも３つの副入力と、第２の副信号グループを受け取る少なくとも３つの別の副入力と、第３の副信号グループを生成する少なくとも３つの副出力とを有し、前記第３の副信号グループは少なくとも、第２の副信号と第１の副信号の間にある第１位相差と、第３の副信号と前記第２の副信号の間にある第２位相差とを有する３つの副信号を有し、前記第１位相差と前記第２位相差は各々１００°−１４０°の範囲内にあることを特徴とする。
【０００７】
バランストＩ信号およびＱ信号を有する４相の場合と比較して、３相ミキサーシステムは必要とするコンポーネントの数が少ない。バランスさせなければいけないＩおよびＱ信号と対照的に、（第３の副信号グループの）副信号Ｒ、Ｓ、Ｔはすでに（実質的に）バランスしている。集積するとき、従来のミキサーシステムと比較して、チップ上のパーツを３／４に減らすことができる。
【０００８】
本発明によるミキサーシステムの第１の実施形態は、請求項２に記載してある。
【０００９】
各副信号グループについて、前記第１位相差と前記第２位相差が各々前記範囲内にある場合、本ミキサーシステムはより対称的構成となり、（各副信号グループの）副信号Ｒ、Ｓ、Ｔは（実質的に）バランスする。
【００１０】
本発明によるミキサーシステムの第２の実施形態は、請求項３に記載してある。
【００１１】
前記第１位相差と前記第２位相差が各々、１１８°−１２２°の範囲内にある場合、（各副信号グループの）副信号Ｒ、Ｓ、Ｔはより一層バランスする。前記第１位相差と前記第２位相差が各々１２０°の場合、（各副信号グループの）副信号Ｒ、Ｓ、Ｔは完全にバランスする。
【００１２】
本発明によるミキサーシステムの第３の実施形態は、請求項４に記載してある。
【００１３】
副信号ごとにトランジスタグループを導入することにより、副入力における副信号をスイッチおよび／または増幅することができる。
【００１４】
本発明によるミキサーシステムの第４の実施形態は、請求項５に記載してある。
【００１５】
前記トランジスタグループの１つをスイッチするために、別の副入力ごとに別のトランジスタを導入することにより、アクティブミキサーシステムを作ることができる。
【００１６】
本発明によるミキサーシステムの第５の実施形態は、請求項６に記載してある。
【００１７】
各トランジスタグループの少なくとも前記トランジスタがバイポーラトランジスタである場合、集積したとき、これらのトランジスタは比較的お互いに類似しており、集積差異の補償は必要でないか、必要でも小さいレベルでよい。前記トランジスタは増幅機能も有する。
【００１８】
本発明によるミキサーシステムの第６の実施形態は、請求項７に記載してある。
【００１９】
１つのトランジスタグループ各トランジスタの制御電極が他のトランジスタグループの各々の１つのトランジスタの制御電極と、別の副入力とに結合され、各トランジスタグループの第１主電極が相互に結合され、および副入力と結合され、１つのトランジスタグループの各トランジスタの第２主電極が他のトランジスタグループの各々の１つのトランジスタの第２主電極と、副出力とに結合された場合、パッシブミキサーシステムを作ることができる。このパッシブミキサーシステムは、通常、アクティブミキサーシステムよりも線形性がよい。
【００２０】
本発明による装置は、入力信号を別の入力信号と混合することにより、１つの周波数を有する前記入力信号を他の周波数の出力信号に変換するミキサーシステムであって、第１の副信号グループを受け取る少なくとも３つの副入力と、第２の副信号グループを受け取る少なくとも３つの別の副入力と、第３の副信号グループを生成する少なくとも３つの副出力とを有し、前記第３の副信号グループは少なくとも、第２の副信号と第１の副信号の間にある第１位相差と、第３の副信号と前記第２の副信号の間にある第２位相差とを有する３つの副信号を有し、前記第１位相差と前記第２位相差は各々１００°−１４０°の範囲内にあることを特徴とするミキサーシステムと、前記第３の副信号グループを前記出力信号に結合するために前記副出力に結合された、少なくとも１つの多相フィルターとを有することを特徴とする。
【００２１】
前記少なくとも１つの多相フィルターは、前記第３の副信号グループをフィルターし、前記出力信号の形で少なくとも１つのフィルター結果を生成する。
【００２２】
本発明による装置の第１の実施形態は、請求項８に記載してある。
【００２３】
前記少なくとも１つの別の多相フィルターは、前記入力信号をフィルターし、前記第１の副信号グループの形で少なくとも１つのフィルター結果を生成する。前記少なくとも１つのさらに別の多相フィルターは、前記別の入力信号をフィルターし、前記第２の副信号グループの形で少なくとも１つのフィルター結果を生成する。前記少なくとも１つのリングオシレータは、前記第２の副信号グループを生成し、前記別の入力信号を形成する。
【００２４】
本発明による装置および本発明による方法の実施形態は、本発明によるミキサーシステムの実施形態に対応する。
【００２５】
本発明は、なかんずく、従来技術である４相ミキサーシステムの大部分は４つの繰り返しを示し、多数のコンポーネントを必要とするという洞察に基づく。本発明は、なかんずく、３相ミキサーシステムは必要とするコンポーネントが少ないと言う基本的アイデアに基づく。
【００２６】
本発明は、なかんずく、変換性能を低下させることなく少ないコンポーネントですむミキサーシステムを提供するという問題を解決し、バランスを取る必要がないという点で有利である。
【００２７】
本発明の上記その他の態様は、以下に説明する実施形態を参照すれば明らかになるであろう。
図１に示した本発明によるアクティブミキサーシステム１０は、例えば、トランスミッタ（アップコンバージョン時）またはレシーバ（ダウンコンバージョン時）等の一部を形成し、３つの副入力１、２、３と、３つの別の副入力４、５、６と、３つの副出力７、８、９とを有する。副入力１はトランジスタ１２、１５、１８の制御電極（例えばベース（ｂａｓｉｓ））に結合され、Ｒ副入力を形成する。副入力２はトランジスタ１３、１６、１９の制御電極に結合され、Ｓ副入力を形成する。副入力３はトランジスタ１１、１４、１７の制御電極に結合され、Ｔ副入力を形成する。
【００２８】
別の副入力４は別のＲ副入力を形成し、別のトランジスタ２０の制御電極に結合されている。その別のトランジスタ２０の第１の主電極（例えばエミッタ）は、電流源の一方の側に抵抗を介して結合されており、第２の主電極（例えばコレクタ）は、トランジスタ１１−１３の第１のグループの第１の主電極に結合されている。別の副入力５は別のＳ副入力を形成し、別のトランジスタ２１の制御電極に結合されている。その別のトランジスタ２１の第１の主電極は、電流源の一方の側に抵抗を介して結合されており、第２の主電極は、トランジスタ１４−１６の第２のグループの第１の主電極に結合されている。別の副入力６は別のＴ副入力を形成し、別のトランジスタ２２の制御電極に結合されている。その別のトランジスタ２２の第１の主電極は、電流源の一方の側に抵抗を介して結合されており、第２の主電極は、トランジスタ１７−１９の第３のグループの第１の主電極に結合されている。電流源のもう一方の側は第１の電源ラインに結合されている。
【００２９】
トランジスタ１２、１４、１９の第２の主電極は、Ｒ副出力を形成する副出力７に結合され、また抵抗を介して第２の電源ラインに結合されている。トランジスタ１３、１５、１７の第２の主電極は、Ｓ副出力を形成する副出力８に結合され、また抵抗を介して第２の電源ラインに結合されている。トランジスタ１１、１６、１８の第２の主電極は、Ｔ副出力を形成する副出力９に結合され、また抵抗を介して第２の電源ラインに結合されている。
【００３０】
本発明によるアクティブミキサーシステム１０において、トランジスタ１１−１９は例えばバイポーラトランジスタである。このトランジスタ１１−１９は副入力１、２、３を介して入力された副信号の増幅も行う。それゆえ、両入力信号の最も弱い信号（例えばアンテナ信号等）がこれら副入力１、２、３に供給される。バイポーラトランジスタの場合、集積時、これらのトランジスタは互いに比較的類似しており、集積差異の補償がもはや必要ないか、必要であっても小さいレベルでよい。別のトランジスタ２０−２２は例えばバイポーラトランジスタ等であり、これらのバイポーラトランジスタは第２のグループの副信号に応じてトランジスタ１１−１３、１４−１６、１７−１９のグループをスイッチする。それゆえ、両入力信号の最も強い信号（例えばオシレーション信号等）は、これら別の副入力４、５、６に供給される。
【００３１】
図１の別の副入力４、５、６の副信号は、それが図１の副出力７、８、９の副信号に転送される転送のされ方を決定する。別の副入力４、５、６の３つの副信号について、別の副入力４の副信号の電圧が別の副入力５、６の副信号の電圧より高い時、その瞬間においては、副入力１、２、３の副信号は大部分が、副入力１から副出力７へ、副入力２から副出力８へ、副入力３から副出力９へ、それぞれ転送される。別の副入力５の副信号の電圧が別の副入力４、６の副信号の電圧より高いとき、副入力１、２、３の副信号は大部分が、副入力１から副出力８へ、副入力２から副出力９へ、副入力３から副出力７へ、それぞれ転送される。最後に、別の副入力６の副信号の電圧が別の副入力４、５の副信号の電圧より高いとき、副入力１、２、３の副信号は大部分が、副入力１から副出力９へ、副入力２から副出力７へ、副入力３から副出力８へ、それぞれ転送される。このように、３つの信号の各グループ内での順序に応じて、別の副入力４、５、６の副信号の瞬間的位相が、副入力１、２、３の副信号の位相に加えられるか、または引かれる。これにより、副出力７、８、９には、副入力１、２、３の周波数および副入力４、５、６の周波数を加えた周波数、または両者の差の周波数を有する実質的な成分を含む副信号が出力される。図１に示した実施形態において、この出力は３つの別のトランジスタ２０、２１、２２により実現される。これら３つのトランジスタ２０、２１、２２は、全電流が９つのトランジスタ１１−１９に分割される分割のされ方を決定する。この分割は、別の副入力４、５、６の副信号の瞬間値により決まる。この副信号は別のトランジスタ２０、２１、２２の制御信号として作用する。その結果電流は９つのトランジスタ１１−１９のうち３つに多く流れ（ｆａｖｏｒ）、上で説明したように、副入力１、２、３の副信号の副出力への３つの経路に多く流れる（ｆａｖｏｒ）。
【００３２】
従来技術によるミキサーシステムにおける従来技術であるギルバートセル（Ｇｉｌｂｅｒｔ  ｃｅｌｌｓ）と比較して、ミキサーシステム１０ではトランジスタの数が２４から１２（電流源のトランジスタは数えない）に減っている。あるいは、トランジスタ１１−１９および／またはトランジスタ２０−２２はＦＥＴ等でもよい。
【００３３】
図２に示した本発明によるパッシブミキサーシステム４０は、例えばトランスミッタ（アップコンバート時）またはレシーバ（ダウンコンバート時）の一部を形成し、３つの副入力１、２、３、３つの別の副入力４、５、６、および３つの副出力７、８、９を有する。副入力１は抵抗を介してトランジスタ４１、４２、４３の第１のグループの第２の主電極（例えばドレイン）に結合されており、アーリー（ｅａｒｌｙ）副入力を形成する。副入力２は抵抗を介してトランジスタ４４、４５、４６の第２のグループの第２の主電極に結合されており、ノーマル（ｎｏｒｍａｌ）副入力を形成する。副入力３は抵抗を介してトランジスタ４７、４８、４９の第３のグループの第２の主電極に結合されており、レイト（ｌａｔｅ）副入力を形成する。前記第２の主入力には例えばアンテナ信号が入力される。
【００３４】
別の副入力４は別のアーリー副入力を形成し、トランジスタ４１、４４、４７の制御電極（例えばゲート）に結合される。別の副入力５は別のノーマル副入力を形成し、トランジスタ４２、４５、４８の制御電極に結合される。別の副入力６は別のレイト副入力を形成し、トランジスタ４３、４６、４９の制御電極に結合される。前記制御電極には、例えばオシレーション信号が入力される。
【００３５】
トランジスタ４２、４４、４９の第１の主電極（例えばソース）は、各々、抵抗を介して副出力７に結合されている。副出力７はアーリー副出力を形成する。トランジスタ４３、４５、４７の第１の主電極は、各々、抵抗を介して副出力８に結合されている。副出力８はノーマル副出力を形成する。トランジスタ４１、４６、４８の第１の主電極は、各々、抵抗を介して副出力９に結合されている。副出力９はレイト副出力を形成する。
【００３６】
本発明によるパッシブミキサーシステム４０において、トランジスタ４１−４９は例えばＦＥＴ等である。これらトランジスタ４１−４９は、副信号の第２のグループに応じて、低インピーダンスから高インピーダンスに、またはその反対にスイッチされる。
【００３７】
図１を参照して説明したのと同様に、図２において、別の副入力４、５、６の副信号は、副入力１、２、３の副信号が副出力７、８、９の副信号に転送されるその転送のされ方を決定する。それに加えて、図２において、トランジスタのインピーダンスがその制御電極の瞬間電圧により影響されるその影響のされ方を利用する。その瞬間電圧は別の副入力４、５、６の副信号により与えられる。
【００３８】
各々４つのＭＯＳトランジスタを有する４つのパッシブミキサーと比較して、ミキサーシステム４０はトランジスタ数を１６から９に減らした。
【００３９】
図３に示した本発明による装置７０は、例えば携帯電話・モデム・トランシーバ等の通信装置であってもよく、例えばラジオ等のオーディオレシーバであってもよく、例えばテレビジョン等のオーディオ／ビデオレシーバであってもよい。装置７０は、本発明によるミキサーシステム１０、４０と、少なくとも１つの多相フィルター７３と、少なくとも１つの別の多相フィルター７１とを有する。少なくとも１つの多相フィルター７３の入力は前記副出力７、８、９に結合され、出力信号７６を出力する。少なくとも１つの別の多相フィルター７１は入力信号７４を入力され、出力は副入力１、２、３と結合されている。本装置７０は、さらに、少なくとも１つのさらに別の多相フィルター７２、または少なくとも１つのリングオシレータ７２を有する。少なくとも１つのさらに別の多相フィルター７２の出力は前記別の副入力４、５、６に結合されており、その入力には別の入力信号７５が入力される。少なくとも１つのリングオシレータ７２の出力は前記別の副入力４、５、６に結合されており、その信号の前記第２のグループが別の入力信号を形成する。
【００４０】
副信号の第３のグループを出力信号７６と結合するため、多相フィルター７３は副出力７、８、９と結合されている。それに加えて、多相フィルター７３は副信号の第３のグループをフィルターし、出力信号７６の形式である少なくとも１つのフィルター結果を生成する。
【００４１】
副信号の第１のグループを入力信号７４に分割するため、多相フィルター７１は副入力１、２、３と結合されている。それに加えて、多相フィルター７１は入力信号７４をフィルターし、副信号の第１のグループの形式である少なくとも１つのフィルター結果を生成する。
【００４２】
別の入力信号７５を副信号の第２のグループに分割するため、多相フィルター７２は別の副入力４、５、６に結合されている。それに加えて、多相フィルター７２は別の入力信号７５をフィルターし、副信号の第２のグループの形式である少なくとも１つのフィルター結果を生成する。あるいは、リングオシレータ７２は、副信号の第２のグループを生成する。その副信号の第２のグループはリングオシレータとともに前記別の入力信号を形成する。
【００４３】
例えば「変換するため」、「受信するため」、「スイッチするため」等における「〜のため」という表現は、同時であろうとなかろうと、他の機能が実行されることを排除するものではない。例えば、「Ｙに結合されたＸ」、「ＸとＹの結合」、「ＸとＹを結合する」等の表現は、ＸとＹの間にエレメントＺがあることを排除するものではない。「ＰはＱを有する」等の表現は、エレメントＲを有する／含むことを排除するものではない。「１つの」と言う用語は１以上の存在を排除するものではない。
【００４４】
図３において、多相フィルタ７１、７２、７３はいくつかの多相フィルタを有していてもよい（相当してもよい）。あるいは、入力信号７４は副信号の第１のグループを含むと考えてもよい。別の入力信号７５は副信号の第２のグループを含むと考えてもよい。出力信号７６は副信号の第３のグループを含むと考えてもよい。前記多相フィルターの代替物を排除すべきではない。アーリー副入力、ノーマル副入力、レイト副入力はそれぞれＲ副入力、Ｓ副入力、Ｔ副入力に対応する。
【００４５】
本発明は、なかんずく、従来技術による４相ミキサーシステムは４つの繰り返しを示し、多数のコンポーネントを要するという洞察に基づく。３相ミキサーシステムは、なかんずく、より少ないコンポーネントですむという基本的アイデアにもとづく。
【００４６】
本発明は、なかんずく、変換性能を低下させることなく少ないコンポーネントですむミキサーシステムを提供するという問題を解決し、バランスを取る必要がないという点で有利である。
【図面の簡単な説明】
【００４７】
【図１】本発明によるアクティブミキサーシステムを示す概略図である。
【図２】本発明によるパッシブミキサーシステムを示す概略図である。
【図３】本発明によるミキサーシステムを有する、本発明による装置を示すブロック図である。
【図１】
2006510264.tif 000003
【図２】
2006510264.tif 000004
【図３】
2006510264.tif 000005
【国際調査報告】
2006510264.tif 000006
2006510264.tif 000007